(57)【特許請求の範囲】
【請求項１】
ボックス状をなす天板部を備えた家具であって、前記天板部が、上面に内部空間を開放するための開口部を備えた天板部本体と、この天板部本体の開口部に蓋設した透光性を有した透明板とを具備してなるものであり、前記天板部本体の内部空間に発光体を配してなり、前記天板部本体が、天板面の周縁部を形成する周囲水平壁と、この周囲水平壁の外縁からその全周に亘って垂下させた外壁要素と、周囲水平壁の内縁から垂下させた内壁要素と、前記外壁要素と前記内壁要素との間に設けられ且つ外壁要素及び内壁要素よりも大きい高さ寸法を有する中間壁要素と、前記発光体の配置部とを備えたアルミダイキャスト製の一体成形品であることを特徴とする家具。
【請求項２】
発光体を、天板部における主使用領域の周縁部に配置している請求項１記載の家具。
【請求項３】
天板部本体が内側に前記内部空間を設定した枠構造を有するものであり、前記内部空間に天板部本体の枠構造を補強する補強部を設け、該補強部に発光体の配置部を形成している請求項１又は２記載の家具。
【請求項４】
前記補強部に、発光体の配線部を案内する配線案内路を形成している請求項３記載の家具。
【請求項５】
透明板が、青色系のガラス板である請求項１、２、３又は４記載の家具。
【請求項６】
透明板が、地中海ブルー又はコートダジュールブルーのガラス板である請求項５記載の家具。
【請求項７】
発光体が、発光ダイオードである請求項１、２、３、４、５又は６記載の家具。
【請求項８】
天板部本体に、発光体の点灯又は消灯を操作する操作部を配置している請求項１、２、３、４、５、６又は７記載の家具。
【発明の詳細な説明】
【０００１】
【発明の属する技術分野】
本発明は、オフィス、店舗、展示場、家庭等において好適に使用される家具に関するものである。
【０００２】
【従来の技術】
様々な場で用いられる家具は、従来より使用に適した機能面が重視され、その機能に基づいて設計、製造されているのが通例である。例えばオフィスで使用されるデスクやテーブル、収納家具等の家具類についていえば、作業性や便利さに主眼がおかれ、効率を向上することを追究した造り、換言すると機能一点張りの造りがなされている。
【０００３】
このことは、家具周りの「光」についても同様である。例えば、単に天板上の作業スペースを照明するのみの機能を持った蛍光灯を付帯して設けた態様のデスクやテーブル、天板として使用される透明ガラス板の下方に蛍光灯等の照明器具を配し、前記ガラス板を通じて下方から天板上の図面等を照射するようにした態様のいわゆるライティングデスク等が、上述の「機能一点張り」の家具の典型例として挙げられる。すなわち、家具周りの「光」といえば、「照明」という機能のみが重視され、それに基づいて照明器具を如何に適切に家具類に付帯させるか、という着眼点で家具類が設計及び製造され、使用者に提供されているのが現状である。
【０００４】
【発明が解決しようとする課題】
ところが、情報技術の発達などに起因した社会変革の進展に伴い、最近では家具の役割に今までになかった新たな機能が求められるようになってきている。すなわち、家具には、単にルーチンワークを効率よく便利にこなすための機能だけでなく、使用者に知的創造性を惹起するとともにリラックス感を与え得るような機能が要望されつつある。このことは、家具を通じて使用者に「ときめき感」、「安らぎ感」、「知的集中力」を与えて創造性を活性化すると、より洗練された高度な知的生産性が向上されるという考えに基づくものである。
【０００５】
ここで、「光」には、照明という機能の他にも、使用者の視覚を刺激することにより「興奮感」を与えたり逆に「リラックス感」を与えるという作用がある。しかしながら、従来の照明機能を重視した「機能一点張り」のデスク等の家具では、如何に作業スペースを効率的に照らすかという点についてのみに着目したものであるため、知的創造性を高めるというような近年求められている作用を得ることは元来の設計思想からして全く考慮の外にある。
【０００６】
そこで本発明は、以上のような近年の家具に対する要望に応えるべく、「光」の有用な作用に着目した新たな設計コンセプトに基づく家具を提供しようとするものである。
【０００７】
【課題を解決するための手段】
すなわち、本発明の家具は、上面に内部空間を開放するための開口部を備えた天板部本体と、この天板部本体の開口部に蓋設した透光性を有する透明板とを備えたボックス状をなす天板部を有し、天板部本体の内部空間に発光体を配したものであって、前記天板部本体が、天板面の周縁部を形成する周囲水平壁と、この周囲水平壁の外縁からその全周に亘って垂下させた外壁要素と、周囲水平壁の内縁から垂下させた内壁要素と、前記外壁要素と前記内壁要素との間に設けられ且つ外壁要素及び内壁要素よりも大きい高さ寸法を有する中間壁要素と、前記発光体の配置部とを備えたアルミダイキャスト製の一体成形品であることを特徴としたものである。
【０００８】
このような構成において天板部は、天板部本体が底を有しているか否かは問わずそれに透明板を蓋設することによって全体としてボックス状をなすものであってもよいし、天板部本体自体がボックス状のものであってもよく、上方に開口するものも上下に開口するものの含まれ、深みのある天板部全体として、薄っぺらではない本物感が奏されるものである。また、発光体は、透明板を通じて光が発っせられていることを使用者が認識し得る程度の出力を有するものであればよく、透明板上に置いた図面等が透けて見える程の強力な明るい光を発するようなものである必要はない。
【０００９】
したがって、発光体により発せられる光は、天板部本体の内部空間から透明板を通じて使用者の視覚に刺激を与える作用を奏し、その作用によって使用者に緊張感やリラックス感を与えて創造力を惹起することになる。具体的には、発光体を点灯し続けたり消灯し続けるなど、定常状態が継続されると家具の使用者には生理的な安定感をもたらすように作用するため、リラックス感が惹起されて集中力が高まり、使用者は知的創造性の高い作業をなし得ることになる。その一方、消灯状態にある発光体が点灯したり、点灯状態にある発光体が消灯するなど、それまでの定常状態から変化が生じた際には、その変化によって使用者の気分を一新し、緊張感や集中力を惹起するように作用するため、その明滅の変化のリズムが使用者の生命的なリズムを生み出す。そして生み出された生命的リズムにより使用者の知的創造力が高められ、ひいては知的生産性や能率の向上につながることになる。
【００１０】
このような構成の家具において、発光体によって発せられる光が、家具の使用者の集中力を逸らし天板部上で行われる作業の妨げの原因となっては逆効果であるため、このような不具合を生じないように発光体を配するためには、発光体を、天板部における主使用領域の周縁部に配置することが好ましい。
【００１１】
具体的にボックス状をなす天板部の構成要素である天板部本体の構成及び発光体の配置箇所としては、天板部本体を、内側に前記内部空間を設定した枠構造を有するものとして、その内部空間に天板部本体の枠構造を補強する補強部を設け、その補強部に発光体の配置部を形成したものが挙げられる。このような補強部を有効に利用して発光体の配線を好適に行うためには、その補強部に発光体の配線部を案内する配線案内路を形成するとよい。
【００１２】
特に、透明板を青色系の色とした場合には、開放的な雰囲気を醸成することができる上に、生理的、心理的にも、精神を沈静化、安定化させる作用、集中力を促進させる作用なども期待することができる。特に、青系統の色に、地中海ブルー又はコードダジュールブルーを採用すると、世界的に有名なリゾート地の開放感あふれる雰囲気を醸し出すことができるため、リラックス感を発揮する効果がより高まる。
【００１３】
また、消費電力及び発熱が少ない小型で好適な発光体には、発光ダイオードが挙げられる。この場合、発光ダイオードの光が透明板を通じて使用者の創造力を刺激したり心地よさを演出することになる。発光ダイオードの色は目的に応じて適宜変更すればよいが、透明板が着色ガラスである場合には、白色の光を発するダイオードを用いるとよい。
【００１４】
また、発光体の点灯や消灯を使用者の目的に応じて適宜切り替えられるようにするには、天板部本体に、発光体の点灯又は消灯を操作する操作部を配置することが望ましい。この操作部は、発光体の発光量や明滅の周期等を制御し得るようなものとすることもできる。この場合、使用者が能動的に操作部を操作して発光体のスイッチングを行うことでも気分の切替となるため、新たな緊張感を生み出すことができ、この点でも創造性を高める効果が得られる。
【００１５】
【発明の実施の形態】
以下、本発明の実施形態を、図面を参照して説明する。
【００１６】
＜第１実施形態＞  この実施形態に係る家具は、図１〜図４に示すように、オフィスや家庭等で使用される個人用執務デスク（以下、単にデスクと称する）Ｄである。このデスクＤは、天板部Ｄ１とそれを直接支持する前後各一対の脚要素Ｄ２ｆ，Ｄ２ｒとによって主として構成されている。天板部Ｄ１はさらに、天板部本体Ｄ３とそれに蓋設される透明板たるガラス板Ｄ４とから主として構成され、天板部本体Ｄ３に形成される内部空間ＤＳに発光体たる発光ダイオードＬを設けている。
【００１７】
以下、各部の詳細について説明する。
【００１８】
まず、天板部本体Ｄ３は、図１〜図１０に示すように、天板面Ｄａの周縁部を形成する周囲水平壁Ｄ３１と、この周囲水平壁Ｄ３１の下面から垂下させた周囲立壁Ｄ３２とを具備する鋳肌を表出させたアルミダイキャスト製の一体成形品である。ここで、アルミダイキャストの鋳肌を外面に表出させる態様としては、直接表出させる場合のほか、透明被膜を介して視認可能に表出させる態様、或いは薄い着色塗装を介して間接的に表出させる態様等が挙げられる。直接表出させる態様の場合に、鋳物の表面を削り又は磨く加工を施すことを妨げるものではない。特に型割りした際に、パーティングラインに沿ってバリが残り、これを削り取って磨く必要が生じる場合があるが、このままでは素肌と磨いた箇所の質感・外観が異なって見栄えが悪くなるため、どこかしらを磨くと、質感・外観を整えるために他の必要な部分、場合によっては全体を磨く措置を施すことがあるが、これは鋳肌を外面に表出させる態様に含まれる。また、透明被膜や着色塗装は、型割りした後に直ぐに被着させる態様の他に、パーティングラインのバリを削り取った後に被着させる態様も含まれる。着色塗装の場合は、直接的に鋳肌が視認可能なものではないが、人間はある限度において素地表面の光沢や接触感等からでもアルミダイキャストたる質感を感得できるものであり、それが感じられる程度に塗装厚みや色が薄ければ、着色を施してもアルミダイキャスト製品の重厚感や本物感を有効に醸し出すことができる。アルミの素材の色に近い色のメタリック塗装は、上に言う薄い着色塗装の態様に含まれる。なお、以下に説明する天板部本体Ｄ３以外のアルミダイキャスト製部材も、天板部本体Ｄ３と同様に鋳肌を表出させているが、その態様及び趣旨は上述のとおりである。
【００１９】
周囲水平壁Ｄ３１と周囲立壁Ｄ３２とは、中央部を上下に貫通させて内部空間ＤＳを包囲する深みのあるボックス状の枠構造をなしており、天板部本体Ｄ３の上端に内部空間ＤＳを開放するための開口部Ｄ３ａが形成されるようにしている。また、その平面輪郭形状は、図１、図２、図５及び図６に示すように、横長略矩形状であって、使用端Ｄ１ａは中央部をやや凹ませた部分円弧状にしており、反使用端縁Ｄ１ｂは中央部をやや膨出させた部分円弧状にしている。さらに、このデスクＤは、ＣＤユニットＤ７、スピーカユニットＤ５、各スピーカユニットＤ５に対するバックキャビティ機能を発揮する左右一対をなす空気室部Ｄ５２、及び、これら各スピーカユニットＤ５の背面側の音波を該天板部Ｄ１の使用端Ｄ１ａ側に導く左右一対をなす音響管Ｄ５３ｘ等からなる音響システムを有しており、そのうち左右一対の空気室部Ｄ５２及び音響管Ｄ５３ｘの構成要素である音響管本体Ｄ５３を天板部本体Ｄ３と一体にアルミダイキャスト成形により形成することにより、枠構造をなす天板部本体Ｄ３の補強部としての機能や、発光ダイオードＬの配置部Ｄ６を設けるための機能等を兼ねさせている。
【００２０】
天板部本体Ｄ３の各部の構成について具体的に説明すると、図６〜図１０に示すように、まず、周囲立壁Ｄ３２は、周囲水平壁Ｄ３１の外縁からその全周に亘って垂下させた外壁要素Ｄ３３と、周囲水平壁Ｄ３１の内縁から平面視略矩形状をなすように垂下させた内壁要素Ｄ３４とから少なくとも構成してあり、部分的にはこれら外壁要素Ｄ３３及び内壁要素Ｄ３４間にさらに１又は複数の中間壁要素Ｄ３５を設けて多重壁構造をなすようにしたものである。
【００２１】
中間壁要素Ｄ３５は、周囲水平壁Ｄ３１の反使用端Ｄ１ｂ側及び両側端部において外壁要素Ｄ３３と内壁要素Ｄ３４との間に垂下させたもので、その周囲水平壁Ｄ３１の下面から下端までの高さ寸法は外壁要素Ｄ３３及び内壁要素Ｄ３４のそれよりも約３倍弱であり、周囲立壁Ｄ３２のうち最も大きい高さ寸法を有している。反使用端Ｄ１ｂ側においてこの中間壁要素Ｄ３５は、図６に示すように、外壁要素Ｄ３３に沿って中央部を後方へ向けてやや膨出させた部分円弧状をなしている。また、中間壁要素Ｄ３５には、図６に示すように、使用端Ｄ１ａ側におけるコーナー部分で部分的に内側へＬ字形状に屈曲させて屈曲部Ｄ３５ａを形成する一方、反使用端Ｄ１ｂ側におけるコーナー部分で部分的に内側へ部分円弧状に湾曲させて湾曲部Ｄ３５ｂを形成することによって天板部本体Ｄ３の剛性を高めており、これら屈曲部Ｄ３５ａ、湾曲部Ｄ３５ｂと外壁要素Ｄ３３のコーナー部分との間に、下方に円筒状をなして突出させた脚要素取付部として機能する凸部分Ｄ３６を形成している。なお、各凸部分Ｄ３６は、外壁要素Ｄ３３と中間壁要素Ｄ３５とをコーナー部分において接続する十文字形状のリブＤ３６Ｌ上に形成されており、これらリブＤ３６Ｌによって凸部分Ｄ３６及び周囲立壁Ｄ３２の補強を図っている。
【００２２】
前記開口部Ｄ３ａは、図２及び図５〜図１０に示すように、前記内壁要素Ｄ３４によって囲まれて形成されたもので、平面視、ガラス板Ｄ４と略同一ないし一回り大きい矩形状をなす。そしてその上端から前記ガラス板Ｄ４の略厚み分下がった位置に、内方に向かって延びる段部Ｄ３ｂが設けてあり、この段部Ｄ３ｂの上向き面にガラス板Ｄ４の周縁部下面を支持させるようにしている。なお、防振や密着性向上等の目的から、この上向き面とガラス板Ｄ４下面との間に、例えば透明樹脂シートを介在させるなどしてもよい。なお、本実施形態では、天板部本体Ｄ３の下面側において、内壁要素Ｄ３４を前記段部Ｄ３ｂの先端及び基端に二重壁構造をなすように形成することで、部分的に天板部本体Ｄ３の剛性をより向上するようにしている。
【００２３】
ここで、ガラス板Ｄ４は、図１及び図２に示すように等厚矩形板状をなすもので、透光性を有し、本実施形態では地中海地方の空や海の色を連想させ使用者にリラックス感を惹起させるような青色系の色、具体的にはいわゆる地中海ブルーやコートダジュールブルーに着色してある。なお、透光性を有するとは、光を通過させるものであればよく、半透明であっても良い。そして、このガラス板Ｄ４は、前記開口部Ｄ３ａに上方から蓋設することで、その上面Ｄ４ａが前記周囲水平壁Ｄ３１の上面Ｄ３１ａと略面一となり、それら両者で天板面Ｄａを構成している。
【００２４】
また、使用端Ｄ１ａ側の周囲水平壁Ｄ３１の下面には、図３、図６、図８及び図９に示すように、その幅方向中央部において前記中間壁要素Ｄ３５の下端と略同一高さ位置に下端を設定した細幅の垂下片Ｄ３７を一体に設けており、この垂下片Ｄ３７と反使用端Ｄ１ｂ側の内壁要素Ｄ３４における幅方向中央部の下端との間に、更に図２、図５、図７及び図１０にも示すように、家具本体部の開口部Ｄ３ａを前後に縦断する角柱状をなす中央桟部Ｄ３８を前記垂下片Ｄ３７及び内壁要素Ｄ３４と一体に設けている。
【００２５】
また、周囲水平壁Ｄ３１の反使用端側Ｄ１ｂには、上方に向かうにつれ徐々に奥行き寸法が小さくなる側面視略三角形状をなす起立壁体Ｄ３１１が、天板面Ｄａより上方に突出し且つ左右に略亘って延びるように天板部本体Ｄ３に一体に設けてある。この起立壁体Ｄ３１１は、その両側縁部をスピーカユニットＤ５の取り付けに用い、中間部をＣＤ等のラックとして用いるためのものであり、また天板部本体Ｄ３の構造強度を向上させるためのものでもある。スピーカユニットＤ５は、図１〜図３に示すように、横方向に細長い平面タイプのものであり、発される音波が、上下方向に比べ水平方向に強い指向性を有するようにしたものである。しかしてこのスピーカユニットＤ５は、前記起立壁体Ｄ３１１の各側縁部に取り付けた中空アルミダイキャスト製のユニット取付ブラケットＤ５１を介して取り付けている。そして、その取り付けた姿勢では、スピーカユニットＤ５の正面が、若干上向きとなりなおかつ水平方向には着座者すなわち使用縁側に配置した椅子に座ってデスクを使用する使用者に向くように設定してある。
【００２６】
このような天板部本体Ｄ３にアルミダイキャスト成形により一体に設けられる左右一対の前記空気室部Ｄ５２と音響管Ｄ５３ｘの構成要素である音響管本体Ｄ５３とは、天板部本体Ｄ３の内部空間ＤＳにおいてそれぞれ前記内壁要素Ｄ３４寄りに設けられ前後方向に長手寸法を有するものである。
【００２７】
具体的に説明すると、図１、図２、図５、図６、図７及び図１０に示すように空気室部Ｄ５２は、スピーカユニットＤ５の下方であって前記周囲水平壁Ｄ３１の反使用端Ｄ１ｂ側における下方に形成した空気室形成壁Ｄ５２ｗにより囲繞してなるものである。この空気室形成壁Ｄ５２ｗは、底壁部Ｄ５２１及びその両側縁において起立する外側壁部Ｄ５２２及び内側壁部Ｄ５２３とから構成され上方に開口しており、前記ユニット取付ブラケットＤ５１の底板により外観不能に閉塞されるが、この前記ユニット取付ブラケットＤ５１を介して前記スピーカユニットＤ５の背面に連通している。
【００２８】
一方、音響管本体Ｄ５３は、前記天板部本体Ｄ３と一体に成形したアルミダイキャスト製のものであり、反使用端Ｄ１ｂ側の内壁要素Ｄ３４と、それに対向する使用端Ｄ１ａ側の内壁要素Ｄ３４との間に架け渡してある。具体的にこの音響管本体Ｄ５３は、主として前記空気室部Ｄ５２の底壁部Ｄ５２１、外側壁Ｄ５２２部及び内側壁部Ｄ５２３にそれぞれ連続して前方へ延びる底壁部Ｄ５３１、外側壁部Ｄ５３２及び内側壁部Ｄ５３３によって構成され上方に開口させた断面Ｕ字溝状をなすものである。なお、この外側壁部Ｄ５３２と天板部本体Ｄ３の外壁要素Ｄ３３とは、奥行き方向中央部において前記内壁要素Ｄ３４及び中間壁要素Ｄ３５とを横切って延びるリブＤ３９によって連結されている。また、その空気室部Ｄ５２に連続する音響管本体Ｄ５３の基端部は、前記反使用端Ｄ１ｂ側の内壁要素Ｄ３４を分断するように空気室形成壁Ｄ５２ｗに連続させてあり、なおかつその分断部分において前記内壁要素Ｄ３４に接合させてある。またその先端部は、前記使用端Ｄ１ａ側の内壁要素Ｄ３４に接合しつつその接合部分から内壁要素Ｄ３４を分断して内壁要素Ｄ３４の外方に突出し、外部空間に開口するように構成してある。ここで、音響管本体Ｄ５３を形状的な観点から説明すると、その中央部を側方に膨らむように滑らかに湾曲させており、その基端から所定長さの範囲において断面積が徐々に小さくなる部位を先細り部分Ｄ５３ａとし、この先細り部分Ｄ５３ａから所定長さの範囲において断面積が略一定である部位を断面積一定部分Ｄ５３ｂとし、更にこの断面積一定部分Ｄ５３ｂから先端に至る範囲において断面積が徐々に拡大する部位をホーン部分Ｄ５３ｃとしている。そして、この音響管本体Ｄ５３は、天板部本体Ｄ３の開口部Ｄ３ａに蓋設されるガラス板Ｄ４によって上方への開口が閉塞され、ガラス板Ｄ４と共にスピーカユニットＤ５の音波を使用端Ｄ１ａ側の着座者へと伝える音響管Ｄ５３ｘを構成している。なお、前記ホーン部分Ｄ５３ｃにおいてのみ、下面側を開口させた断面Ｕ字溝状をなすように形成してあり、その下面開口において上壁が先端に近づくにつれ徐々に下降するように設定してある。しかしてこのホーン部分Ｄ５３ｃには、上方に開口しその開口幅が前方へ向けて漸次拡大するような断面Ｕ字状をなすアルミダイキャスト製のポートアダプタＤ５４をねじ止めにより取り付けている。
【００２９】
本実施形態では、各音響管本体Ｄ５３の外側壁部Ｄ５３２において、先細り部分Ｄ５３ａとホーン部分Ｄ５３ｃとの前後２箇所に、それぞれ発光ダイオードＬの配置部Ｄ６を外側方に突出させて前記外側壁部Ｄ５３２と一体に形成している。この配置部Ｄ６は、前記外側壁部Ｄ５３２から直接外側方へ延びるアーム部Ｄ６１と、アーム部Ｄ６１の先端部に設けられた円筒状の挿入部Ｄ６２とを一体に有するものである。この挿入部Ｄ６２は、内壁Ｄ６２ａが下方へ向かうにつれ内径が漸次小さくなるテーパ状をなしている。これに対して、発光ダイオードＬは、樹脂製のソケット部Ｌ１、ソケット部Ｌ１の上端部に設けられる発光ダイオード本体（図示省略）及びそれを包囲して保護するガラス製又はプラスチック製のカバー部Ｌ２、ソケット部Ｌ１の下端部から延びる配線部Ｌ３からなる一般的な発光ダイオードＬであり、本実施形態では透明のカバー部Ｌ２を有し、白色の光を発するものを採用している。このような発光ダイオードＬは、上方から前記挿入部Ｄ６２に挿入することでソケット部Ｌ１を部材の弾性変形によって前記挿入部Ｄ６２の内壁に嵌合させた状態で着脱可能に取り付けられる。すなわち本実施形態において発光ダイオードＬは、天板部本体Ｄ３の矩形の開口部Ｄ３ａにおける隅部に合計４つ配置されることになる。
【００３０】
また、発光ダイオードＬの配線部Ｌ３を案内させるために、図６、図７及び図１０に示すように、前記音響管本体Ｄ５３に配線案内路Ｄ６３を形成している。この配線案内路Ｄ６３は、音響管本体Ｄ５３のうち先細り部分Ｄ５３ａと断面積一定部分Ｄ５３ｂとに該当する外側壁部Ｄ５３２の下端をさらに下方へリブ状に延長させて外側壁部と一体に形成した外側垂下片Ｄ６３１と、底壁部Ｄ５３１における外側端部寄りの位置に前記外側垂下片Ｄ６３１に沿ってリブ状に延びるように底壁部Ｄ５３１に形成した内側垂下片Ｄ６３２と、底壁部Ｄ５３１の一部とから構成され、下方へ開口して前後に延びる断面Ｕ字状をなしている。
【００３１】
一方、天板部本体Ｄ３の内部空間ＤＳにおいて、前記中央桟部Ｄ３８によって区画された左側の空間と右側の空間とには、図１、図２、図５及び図６に示すように、前記スピーカユニットＤ５に音源を供給するＣＤユニットＤ７と、このデスクＤの前面側に出し入れして使用される引出しＤ８とがそれぞれ配置される。これらを具体的に説明すると、左側の空間にＣＤユニットＤ７が設けられる。そのために音響管本体Ｄ５３の断面積一定部分Ｄ５３ｂに該当する内側壁部Ｄ５３３における前後２箇所に、先端部にねじ孔Ｄ７２ａを有する舌片部Ｄ７２を形成するとともに、この舌片部Ｄ７２と対向位置にある中央桟部Ｄ３８の部位にもねじ孔Ｄ３８ａを形成し、これら前後左右の４箇所のねじ孔Ｄ７２ａ、Ｄ３８ａに前記ＣＤユニットＤ７をねじ止めにより取り付けるようにしている。一方、右側の空間には引出しＤ８が設けられる。その引出しＤ８を出し入れ可能に支持するためのレールＤ８１を取り付けるための構成として、右側の音響管本体Ｄ５３の断面積一定部分Ｄ５３ｂに該当する内側壁部Ｄ５３３における前後２箇所に、先端部にねじ孔Ｄ８２ａを有する舌片部Ｄ８２を形成するとともに、この舌片部Ｄ８２と対向位置にある中央桟部Ｄ３８の部位にもねじ孔Ｄ３８ｂを形成し、このねじ孔に前記レールＤ８１をねじ止めにより取り付けた上で、引出しＤ８をレールＤ８１に保持させている。なお、ＣＤユニットＤ７を支持する舌片部Ｄ７２と引出しＤ８を支持する舌片部Ｄ８２は、共に該当する内側壁部Ｄ５３３と一体に形成されており、相互に前後位置を違えて設けられている。
【００３２】
しかして、ＣＤユニットＤ７の背面側からは、左右一対のスピーカユニットＤ５へ延びる配線（図示省略）と、４つの発光ダイオードＬの配線部Ｌ３とが接続されている。特に発光ダイオードＬの配線部Ｌ３は、音響管本体Ｄ５３に形成された配線案内路Ｄ６３を経て各挿入部Ｄ６２へと延ばされている。また、本実施形態においてＣＤユニットＤ７の前面側に設けられた操作部Ｄ７１は、図３に示すように、ＣＤの選曲や音量を調節する機能のみならず、発光ダイオードＬを点灯又は消灯させる操作部Ｄ７１としての機能も兼ね備えている。すなわち、ＣＤユニットＤ７の電源を投入すると発光ダイオードＬが発光する一方、ＣＤユニットＤ７の電源を切ると発光ダイオードＬが消灯するようになっている。
【００３３】
前後の脚要素Ｄ２ｆ（前脚要素），Ｄ２ｒ（後脚要素）は、図１〜図４及び図１１に示すように、中空柱状をなす脚本体Ｄ２ｆ１，Ｄ２ｒ１と、この脚本体Ｄ２ｆ１，Ｄ２ｒ１の下面に取り付けたアジャスタＤ２Ａとを具備するものであり、天板部本体Ｄ３の脚要素取付部たる凸部分Ｄ３６にそれぞれ取り付けられる。脚本体Ｄ２ｆ１，Ｄ２ｒ１は、天板部本体Ｄ３同様、アルミダイキャスト製の一体成形品であり、特に使用端Ｄ１ａ側に配置される左右一対の前脚本体Ｄ２ｆ１は、その表面を凹凸するように湾曲させて生物的な形状を連想させるように構成してある。また、後脚本体Ｄ２ｒ１の背面側にはアルミダイキャスト製の平板状をなす背板Ｄ２Ｃを取り付けて、外観の向上を図っている。一方、これら脚本体Ｄ２ｆ１，Ｄ２ｒ１の上端には断面円形状の凹部分Ｄ２ｆ８，Ｄ２ｒ８が設けてあり、前記周囲水平壁Ｄ３１の隅部であって中間壁要素Ｄ３５と外壁要素Ｄ３３との間から突出させた断面円形状の前記凸部分Ｄ３６に前記凹部分Ｄ２ｆ８，Ｄ２ｒ８を嵌め合わせ、その中心から偏位した部位において一箇所でねじＤ２Ｂにより締結することにより、脚要素Ｄ２ｆ，Ｄ２ｒを天板部Ｄ１に固定するようにしている。なお、前記凹部分Ｄ２ｆ８，Ｄ２ｒ８の内周Ｄ２ｆ８ａ，Ｄ２ｒ８ａの及び前記凸部分Ｄ３６の外周Ｄ３６１ａは、いずれも、下方に向かうほど断面積が徐々に小さくなるテーパ形状をなしている。これは型抜き成形する際に必然的に生じる形状であるが、本実施形態ではこの型抜き成形により生じたテーパ形状をそのまま利用して前記凹部分Ｄ２ｆ８，Ｄ２ｒ８及び凸部分Ｄ３６をテーパ結合させ、脚Ｄ２ｆ，Ｄ２ｒ天板部Ｔ１とをがたなく確実に接合するようにしている。
【００３４】
上述した本実施形態のデスクＤは、深みがあり本物感を醸し出す形状及び質感を有するアルミダイキャスト製品である天板部本体Ｄ３に、その内部空間ＤＳを開放する開口部Ｄ３ａを上方から塞ぐようにガラス板Ｄ４を蓋設し、その天板部本体Ｄ３における内部空間ＤＳの四隅に発光体として発光ダイオードＬを設けている。
【００３５】
このため、発光ダイオードＬにより発せられる光は、天板部本体Ｄ３の内部空間ＤＳから透明なガラス板Ｄ４を通じて使用者の視覚に刺激を与える作用を奏し、その作用によって使用者に緊張感やリラックス感を与えて創造力を惹起することになる。具体的には、発光ダイオードＬを点灯し続けたり消灯し続けるなど、同じ状態が継続されるとデスクＤの使用者にはリラックス感を惹起するように作用し、その一方、消灯状態にある発光ダイオードＬが点灯したり、点灯状態にある発光ダイオードＬを消灯するなど、それまでの状態から変化が生じた際には、使用者に緊張感や集中力を惹起するように作用するため、その明滅の変化のリズムが使用者の生命的なリズムを生み出す。そして生み出された生命的リズムにより使用者の知的創造力が高められ、ひいては知的生産性や能率の向上につながることになる。
【００３６】
そして、開口部Ｄ３ａの四隅に配置された発光ダイオードＬは、ガラス板Ｄ４及び天板部本体Ｄ３の周囲水平壁Ｄ３１から構成される天板面Ｄａのうち使用端Ｄ１ａ側に着座する使用者が主として使用する主使用領域の周縁部に該当する位置に配されていることになる。したがって、その使用者の天板上での主たる作業の妨げになることがない。
【００３７】
また、透明板には青色系、特にリゾート地のような安らぎ感を連想させる地中海ブルー又はコートダジュールブルーのガラス板Ｄ４を採用しているため、特に発光ダイオードＬを点灯又は消灯し続ける定常状態では、使用者のリラックス感をより一層喚起して、集中力を高める作用が向上する。さらに発光ダイオードＬを点灯した場合、使用者はこのガラス板Ｄ４を通じて青白くはっきりとした色の光を視認できるようになるため、その点灯による定常状態の変化が明確なものとなり、使用者に緊張感を与えて気分の切り替えを図り、知的創造力をさらに引き出すことができるようになる。
【００３８】
また、ＣＤユニットＤ７の操作部Ｄ７１を通じて使用者が発光ダイオードＬのスイッチングを能動的、主体的に行うことによっても使用者の意識の切り替えを図ることができ、これによっても使用者に新たな緊張感を惹起し、創造性を高める一助とすることができる。
【００３９】
なお、本実施形態において、天板部や脚要素の具体的構成又は形状や、発光ダイオードの配置位置等、各部の具体的構成は上述のものに限らず、本発明の趣旨を逸脱しない範囲で種々変形が可能である。
【００４０】
＜第２実施形態＞  この実施形態に係る家具は、図１２〜図１５に示すように会議の際に複数人に使用されるテーブルＴであって、天板部Ｔ１と、この天板部Ｔ１に直接取り付けた脚要素Ｔ２とを具備してなる。天板部Ｔ１はさらに、天板部本体Ｔ３と、この天板部本体Ｔ３の内部空間ＴＳを開口する開口部Ｔ３１に蓋設した透明板たるガラス板Ｔ４とを備えたボックス状をなすものであって、前記内部空間ＴＳ内に発光体たる発光ダイオードＬを設けている。
【００４１】
天板部本体Ｔ３は、さらに図１６〜図１８に示すように、天板面の周縁部を形成する周囲水平壁Ｔ３１と、この周囲水平壁Ｔ３１の下面から垂下させた周囲立壁Ｔ３２とを具備して、表面に鋳肌を表出させたアルミダイキャストにより一体成形されたものである。なお、アルミダイキャストの鋳肌を表出させる態様及び趣旨は、前記第１実施形態の場合と同様であり、天板部本体Ｔ３以外のアルミダイキャスト製部品についても同様である。これら周囲水平壁Ｔ３１と周囲立壁Ｔ３２とは、中央部を上下に貫通させて内部空間ＴＳを包囲する深みのあるボックス状の枠構造をなしており、天板部本体Ｔ３の上端に内部空間を開放するための開口部Ｔ３８が形成されるようにしている。また、周囲立壁Ｔ３２の前後方向及び左右方向に架け渡した補強桟Ｔ３４、Ｔ３５を設けている。
【００４２】
周囲水平壁Ｔ３１は、ガラス板４の外周部分に位置してガラス板４の上面４ａとともに天板面を構成する天板外周面Ｔ３１ａを備えてなるものである。
【００４３】
周囲立壁Ｔ３２は、図１２、図１３、図１７〜図１９に示すように、外壁要素Ｔ３２１と内壁要素Ｔ３２２とからなる２重壁構造をなし、天板部本体Ｔ３に剛性を与えている。外壁要素Ｔ３２１は、天板部本体Ｔ３の周縁に沿って下方に垂下させたもので、天板部Ｔ１の周縁部分に強度を付与するようにしたものである。内壁要素Ｔ３２２は、前記外壁要素Ｔ３２１の略３倍の周囲水平壁Ｔ３１からの高さ寸法を有するように設けて、該内壁要素Ｔ３２２で囲まれた内部空間ＴＳが深みを有する空間となるようにしたものである。また、内壁要素Ｔ３２２の４つのコーナー部分は、部分円弧状に湾曲させており、このコーナー部分と周囲水平壁Ｔ３１のコーナー部分との間には、周囲水平壁Ｔ３２よりもガラス板の厚み分だけ低いコーナー水平壁Ｔ３１１を形成している。すなわちこのコーナー水平壁Ｔ３１１は、上面をガラス板Ｔ４の支持面としたものであり、ガラス板Ｔ４の四隅を支持している。また、このコーナー水平壁Ｔ３１１の下面には、それぞれ天板部本体Ｔ３と一体をなし下方に突出する概略円筒状の脚要素取付部たる凸部分Ｔ３７を形成している。
【００４４】
前後方向の補強桟Ｔ３４は、その上端にガラス板Ｔ４の下端に直接当たってガラス板Ｔ４を支持する支持面Ｔ３４ａを備え、内部空間Ｓを左右に略３分の１ずつ分割する位置に設けられたものである。
【００４５】
左右方向の補強桟Ｔ３５は、内部空間ＴＳの前後方向の略中央位置に設けられ、下方に開口するチャネル状に形成されたものである。そして、この補強桟Ｔ３５上に発光ダイオードＬを配するとともに、補強桟Ｔ３５の下向きに開口する溝Ｔ３５１を利用して、発光ダイオードＬの配線などを行うことができるようにしている。具体的には、補強桟Ｔ３５の長手方向複数箇所（本実施形態では例えば略等間隔で６箇所）に、上下に貫通する円筒状をなす発光ダイオード配置部Ｔ３５２を該補強桟Ｔ３５と一体に設けて、この発光ダイオード配置部Ｔ３５２に、発光ダイオードＬを着脱可能に取り付けている。この円筒状の発光ダイオード配置部Ｔ３５２は、図１８に示すように内壁が下方へ向かうにつれ内径が漸次小さくなるテーパ状をなしている。一方、発光ダイオードＬは、図１２、図１３及び図１８に示すように、前記第１実施形態で用いたものと同様のものであり、ソケット部Ｌ１、発光ダイオード本体、カバー部Ｌ２、配線部Ｌ３から構成されている。そして、電源装置を兼ねた操作部たる制御ボックスＴＣを補強桟Ｔ３５の左右何れか一方の端部に設けて、発光ダイオードＬの点灯又は消灯をコントロールするようにしている。この制御ボックスＣは、発光ダイオードＬの点灯及び消灯を指示するオン・オフスイッチＳＴ（図１５）を具備してなるものである。そして、補強桟Ｔ３５の左右端に下向きコ字状をなす折り曲げ部分を形成するとともに内壁要素Ｔ３２２を開口させて設けた制御ボックス取付部ＴＣに取り付けられたものである。本実施形態では、この前記制御ボックスＴＣは、発光ダイオードＬの点灯、消灯のみをコントロールするものであるが、さらに、光量を調節したり、周期的に点灯するように調節するようなものとしてもよい。そして、前記溝Ｔ３５１が発光ダイオードＬの配線案内路として機能し、制御ボックスＴＣから各発光ダイオードＬへ延びる配線部Ｌ３が、この溝Ｔ３５１内に通されることになる。
【００４６】
なお、本実施形態においては、ダイキャスト成形設備や成形工程を簡易化する等の目的から、互いに同形状をなす２つの構造体Ｔ３ａを接合することにより前記天板部本体Ｔ３を形成するようにしている。詳述すれば各構造体Ｔ３ａの側端には、図１４に示すように構造体Ｔ３ａ側面視輪郭形状と略合致する側端面形状を有した前後方向に延びる接合壁３３がそれぞれ設けてあり、その側端面を接合面Ｔ３３ａとしている。具体的にこの接合面Ｔ３３ａは、中央部が上下に厚く、前後両端部が中央部より上下に薄いハットを逆さまにしたような形状をなす。そして、前後上下にわたってほぼ面一なこの接合面Ｔ３３ａ同士を押圧密着させることにより構造体Ｔ３ａ同士を接合している。各接合面Ｔ３３ａには、相互に離間した３箇所以上の部位に、両構造体Ｔ３ａを位置決めするパイプノックＰＫをそれぞれ配設して、各パイプノックＰＫ内に挿通させたボルト（図示省略）を用いて緊締結合するようにしている。
【００４７】
前記開口部Ｔ３８に蓋設されるガラス板Ｔ４は、図１２及び図１３に示すように、等厚平板状をなし透光性を有するものである。このガラス板Ｔ４は、前記周囲水平壁Ｔ３１の天板外周面Ｔ３１ａの内縁に沿って設けた段部Ｔ３６の上向き面にその周縁部Ｔ４ｂの下面を支持されて、上面Ｔ４ａが前記天板外周面Ｔ３１ａと面一になるようにして設けられている。なお、この段部Ｔ３６に防振用の樹脂によるシートを被覆するようにしてもよい。さらに、本実施の形態においても、該ガラス板Ｔ４に地中海ブルーもしくはコートダジュールブルーのものを採用し、会議における過度の緊張を和らげる効果を生むようにしている。なお、ガラス板Ｔ４は、このような効果を得るために海や空を連想させる青色系の色であればよい。
【００４８】
脚要素Ｔ２は、図１２〜図１５及び図１９に示すように、中空柱状をなす脚本体Ｔ２１と、この脚本体Ｔ２１の下端に取り付けたアジャスタＴ２２とを具備するものであり、天板部本体Ｔ３の各コーナー水平壁Ｔ３１１に下方に突出させて設けた脚要素取付部たる凸部分Ｔ３７に取り付けられるものである。脚本体Ｔ２１は、アルミダイキャスト成形により中空に形成されたもので、斜め後方（前脚）又は斜め前方（後脚）に開口して外部から内部を隠蔽している。このように、該脚本体Ｔ２１を中空にすることで軽量化させるとともに、その内部に配線も可能にしている。また、本実施の形態においては、この脚本体Ｔ２１は、動物の形状（チータの脚の形状）を模して成形されており、会議において過度の緊張をリラックスさせる効果も狙ったものである。一方、これら脚要素Ｔ２の上端には断面円形状の凹部分Ｔ２１１が設けてあり、天板部Ｔ１のコーナー水平壁Ｔ３１１に設けた前記脚要素取付部たる凸部分Ｔ３７に、前記凹部分Ｔ２１１を嵌め合わせ、その中心から偏位した部位において二箇所でねじ止めすることにより、脚要素Ｔ２を天板部Ｔ１に固定するようにしている。なお、凸部分Ｔ３７の外周と凹部分Ｔ２１１の内周とは、ともに下方に向かうほど断面積が徐々に小さくなるテーパ形状をなしている。これは型抜き成形する際に必然的に生じる形状であるが、本実施形態ではこの型抜き成形により生じたテーパ形状をそのまま利用して前記凹部分Ｔ２１１及び凸部分Ｔ３７をテーパ結合させ、脚要素Ｔ２と天板部Ｔ１とをがたなく確実に接合するようにしている。
【００４９】
以上のように構成したテーブルＴにおいて、本実施形態では、天板部Ｔ１の長手方向の対向する２辺を使用縁Ｔ１ａとし、この両使用縁Ｔ１aに外方に膨らむ２つの膨出部たる第１の膨出部Ｔ７と、これら第１の膨出部Ｔ７間に位置し内方に凹陥する凹陥部Ｔ８とを設けている。そして、さらに短手方向の対向する２辺を使用縁Ｔ１ｂとして、この両使用縁Ｔ１ｂに第２の膨出部Ｔ９を設けている。
【００５０】
第１の膨出部Ｔ７は、前記周囲水平壁Ｔ３１を使用縁Ｔ１ａから外方に平面視部分円弧状をなし、会議中に資料を広げたり、またノート型パーソナルコンピュータ（以下ノート型パソコンと略す）を置くために充分な使用領域が確保できるような大きさとなるように膨出させたものである。そして、本実施形態では、天板部Ｔ１のコーナ部分に隣接するように配置して、凹陥部Ｔ８より優先的に使用するようにしている。このコーナ部分の形状は、脚取付部たる凸部分Ｔ３７の上端部分と同心の部分円弧状に形成されたもので、前記第１の膨出部Ｔ７に連続形状をなしてデザイン的に良好なものとするとともに、天板部Ｔ１のコーナー部分に強度を付与するようにしたものである。そして、本実施形態では、天板部Ｔ１のコーナ部分たるコーナ部Ｔ１ｃに隣接するように配置して、凹陥部Ｔ８より優先的に使用するようにしている。このコーナ部Ｔ１ｃは、脚取付部Ｔ５の上端部分と同心の部分円弧状に形成されたもので、前記第１の膨出部Ｔ７に連続形状をなしてデザイン的に良好なものとするとともに、天板部Ｔ１のコーナ部Ｔ１ｃに強度を付与するようにしたものである。凹陥部Ｔ８は、長手方向の前後の使用縁Ｔ１ａにそれぞれ１つずつ形成したもので、前記周囲水平壁Ｔ３１を使用縁Ｔ１ａから平面視部分円弧状をなし、着座者が椅子ごと該凹陥部Ｔ８に嵌まり込める大きさとなるように凹陥させたものである。そして、この凹陥部Ｔ８は、前記第１の膨出部Ｔ７と連続した波形状をなしている。第２の膨出部Ｔ９は、周囲水平壁Ｔ３１を使用縁Ｔ１ｂから第１の膨出部Ｔ７と同形状に膨出させて形成したもので、前後のコーナ部分に隣接している。また、この第２の膨出部Ｔ９は、前記コーナ部分によって、前記第１の膨出部Ｔ７と連続的な波形状をなしている。
【００５１】
したがって、前記発光ダイオード配置部Ｔ３５２に配される発光ダイオードＬは、前後方向の中央に位置する補強桟Ｔ３５の両端から所定距離内側の範囲内に設けて、前記第１の膨出部Ｔ７、凹陥部Ｔ８、第２の膨出部Ｔ９のいずれに着座した場合においても、使用領域の周縁部に位置していることになる。
【００５２】
上述した本実施形態のテーブルＴは、深みがあり本物感を醸し出す形状及びアルミダイキャスト製品である天板部本体Ｔ３に、その内部空間を開放する開口部Ｔ３８を上方から塞ぐようにガラス板Ｔ４を蓋設し、その天板部本体Ｔ３における内部空間ＴＳの四隅に発光体として発光ダイオードＬを設けている。
【００５３】
このため、発光ダイオードＬにより発せられる光は、前記第１実施形態の場合と同様に、天板部本体Ｔ３の内部空間ＴＳから透明なガラス板Ｔ４を通じて使用者の視覚に刺激を与える作用を奏し、その作用によって使用者に緊張感やリラックス感を与えて創造力を惹起することになる。具体的には、発光ダイオードＬを点灯し続けたり消灯し続けるなど、同じ状態が継続されると家具の使用者にはリラックス感を惹起するように作用し、その一方、消灯状態にある発光ダイオードＬを点灯したり、点灯状態にある発光体を消灯するなど、それまでの状態から変化が生じた際には、使用者に緊張感や集中力を惹起するように作用するため、その明滅の変化のリズムが使用者の生命的なリズムを生み出す。そして生み出された生命的リズムにより使用者の知的創造力が高められ、ひいては知的生産性や能率の向上につながることになる。
【００５４】
そして、開口部Ｔ３８の四隅に配置された発光ダイオードＬは、このテーブルＴに就いて作業する各使用者の主使用領域の周縁部に該当する天板面の中央部に配されていることになる。したがって、その使用者の天板上での主たる作業の妨げになることがない。
【００５５】
また、透明板には地中海ブルー又はコートダジュールブルーという青色系のガラス板Ｔ４を採用しているため、特に発光ダイオードＬを点灯又は消灯し続ける定常状態では、使用者のリラックス感をより一層喚起して、集中力を高める作用が向上する。さらに発光ダイオードＬを点灯した場合、使用者はこのガラス板Ｔ４を通じて青白くはっきりとした色の光を視認できるようになるため、その点灯による定常状態の変化が明確なものとなり、使用者に緊張感を与えて気分の切り替えを図り、知的創造力をさらに引き出すことができるようになる。
【００５６】
また、制御ボックスＴＣを通じていずれかの使用者が発光ダイオードＬのスイッチングを能動的、主体的に行うことによっても、各使用者の意識の切り替えを図ることができ、これによっても使用者に新たな緊張感を惹起し、創造性を高める一助とすることができる。
【００５７】
なお、本実施形態においても、各部の具体的構成は上述した構成に限られるものではなく、本発明の趣旨を逸脱しない範囲で種々変形が可能である。
【００５８】
また本発明は、家具であればデスクやテーブルに限られるものではなく、収納家具や棚等、家具一般に適用できるものである。
【００５９】
【発明の効果】
本発明は、以上詳述したように、天板部本体の内部空間内に発光体を配し、その内部空間を開放する開口部を透光性を有する透明板、例えば青色系の色に着色したガラス板によって蓋設した構成の天板部を有する家具である。
【００６０】
このような構成において、発光体が発光し続けたり消灯し続けるなど、定常状態が一定時間継続されると、家具の使用者には安心感やリラックス感を惹起する一方、その定常状態から変化が生じた場合、すなわち点いていた発光体が消灯したり消えていた発光体が点灯すると、その変化によって使用者に緊張感を惹起する。このような変化のリズムが使用者の生理的なリズムを引き起こす結果、本発明の家具を使用することで使用者の知的集中力が向上し、知的創造性の高い作業をなし得ることになり、従来の機能一点張りの家具からではなし得なかった知的生産性の向上をもたらすことが可能である。
【図面の簡単な説明】
【図１】本発明の第一実施形態に係るデスクを示す斜視図。
【図２】同実施形態の部分分解斜視図。
【図３】同実施形態の正面図。
【図４】同側面図。
【図５】同実施形態に係るデスクの天板部本体を示す平面図。
【図６】同底面図。
【図７】図６におけるDA-DA線概略断面図。
【図８】図５におけるDB-DB線概略断面図。
【図９】図５におけるDC-DC線概略断面図。
【図１０】図５におけるDD-DD線概略断面図。
【図１１】図５における  線概略断面図。
【図１２】本発明の第２実施形態に係るテーブルを示す斜視図。
【図１３】同実施形態の部分分解斜視図。
【図１４】同実施形態の正面図。
【図１５】同側面図。
【図１６】同実施形態に係るテーブルの天板部本体を示す平面図。
【図１７】同底面図。
【図１８】図１６におけるTA-TA線概略断面図。
【図１９】図１６におけるTB-TB線概略断面図。
【符号の説明】
Ｄ…家具（デスク）
Ｄ１…天板部
Ｄ３…天板部本体
Ｄ４…透明板（ガラス板）
Ｄ６…配置部
Ｄ３ａ…開口部
Ｄ３６Ｌ…補強部（リブ）
Ｄ６３…配線案内路
ＤＳ…内部空間
Ｌ…発光体（発光ダイオード）
Ｔ…家具（テーブル）
Ｔ１…天板部
Ｔ３…天板部本体
Ｔ４…透明板（ガラス板）
Ｔ３８…開口部
Ｔ５３…補強部（補強桟）
Ｔ５３１…配線案内路
Ｔ５３２…配置部
ＴＳ…内部空間
【図１】
0003912581.tif 000002
【図２】
0003912581.tif 000003
【図３】
0003912581.tif 000004
【図４】
0003912581.tif 000005
【図５】
0003912581.tif 000006
【図６】
0003912581.tif 000007
【図７】
0003912581.tif 000008
【図８】
0003912581.tif 000009
【図９】
0003912581.tif 000010
【図１０】
0003912581.tif 000011
【図１１】
0003912581.tif 000012
【図１２】
0003912581.tif 000013
【図１３】
0003912581.tif 000014
【図１４】
0003912581.tif 000015
【図１５】
0003912581.tif 000016
【図１６】
0003912581.tif 000017
【図１７】
0003912581.tif 000018
【図１８】
0003912581.tif 000019
【図１９】
0003912581.tif 000020